(57)【特許請求の範囲】
【請求項１】
袋口部を挟み込む２つの脚部を有するシート状のクリップの後部の両端側に、２つの脚部を有するシート状の他のクリップのその２つの脚部の先端部を連結することにより複数のクリップを直列に連結したクリップ帯体であって、
前記クリップの後部と他のクリップの脚部の先端部とを連結する連結部に、連結方向と直交する方向に切込みを形成し、
前記袋口部を結束するために前記２つの脚部を閉じて互いに重ねた際に、前記連結部の切り込みからクリップをクリップ帯体からちぎり取れるようにしたことを特徴とするクリップ帯体。
【請求項２】
前記切込みを連結部の両側に形成して前記クリップをクリップ帯体からちぎり取りやすくしたことを特徴とするクリップ帯体。
【請求項３】
袋口部を挟み込む２つの脚部を有するシート状のクリップの後部の両端側に、２つの脚部を有するシート状の他のクリップのその２つの脚部の先端部を連結することにより複数のクリップを直列に連結したクリップ帯体であって、
前記クリップの後部と他のクリップの脚部の先端部とを連結する連結部にミシン目やノッチを施し、
前記袋口部を結束するために前記２つの脚部を閉じて互いに重ねた際に、前記連結部のミシン目やノッチからクリップをクリップ帯体からちぎり取れるようにしたことを特徴とするクリップ帯体。
【請求項４】
袋口部を挟み込む２つの脚部を有するシート状のクリップの後部の両端側に、２つの脚部を有するシート状の他のクリップのその２つの脚部の先端部を連結することにより複数のクリップを直列に連結したクリップ帯体であって、
前記クリップの後部と他のクリップの脚部の先端部とを連結する連結部を薄くし、
前記袋口部を結束するために前記２つの脚部を閉じて互いに重ねた際に、前記連結部からクリップをクリップ帯体からちぎり取れるようにしたことを特徴とするクリップ帯体。
【発明の詳細な説明】
【０００１】
【発明の属する技術分野】
この発明は、例えば食品等の包装用の袋の口部を結束するクリップを直列に連結したクリップ帯体に関する。
【０００２】
【従来の技術】
従来から、袋口部を結束するクリップを直列に接続したクリップ帯体が知られている。
【０００３】
かかるクリップ帯体３は、図７に示すように、２つの脚部１ｂ，１ｂを有するシート状のクリップ１を連結部２によって直列に連結して形成されたものである。クリップ帯体３の先頭のクリップ１Ａは、カッターによって連結部２，２から切り離し、このクリップ１Ａの脚部１ｂ，１ｂで袋口部を挟み込ませるとともに、図８に示すように、脚部１ｂ，１ｂを交差して重ね合わせ、この重ね合わせ部の一部をダボ出して、このダボ１ｖをかしめることにより袋口部を結束するものである。
【０００４】
【発明が解決しようとする課題】
ところで、このようなクリップ帯体３はロール状に巻かれて結束機（図示せず）の収納室に収納され、この収納室からクリップ帯体３を結束位置へ順次送り出していくものである。この送り出されたクリップ帯体３の先頭のクリップ１Ａは、連結部２がカッターによって切断されることによりクリップ帯体３から切り離されることになるが、クリップ帯体３に加わるテンションのバラツキなどにより、カッターで連結部２を確実に切断するためには、連結部２は少なくとも１ｍｍの長さを必要とする。
【０００５】
このため、クリップ帯体３から切り離されたクリップ１Ａには、図９に示すように、連結部２によるバリ２Ａが発生し、しかも、連結部２はカッターによって切断されていることによりバリ２Ａには硬いエッジが形成される。このため、バリ２Ａに指が引っかかったり、そのエッジが硬いにことにより不快感を与える等の問題があった。また、連結部２によりクリップ帯体３の長さが長くなってしまう等の多くの問題があった。
【０００６】
この発明は、上記事情に鑑みてなされたもので、その目的は、クリップをクリップ帯体から切り離した際に形成されるバリに硬いエッジが発生せず、しかも連結部を短くすることのできるクリップ帯体を提供することにある。
【０００７】
【課題を解決するための手段】
上記目的を達成するため、請求項１の発明は、袋口部を挟み込む２つの脚部を有するシート状のクリップの後部の両端側に、２つの脚部を有するシート状の他のクリップのその２つの脚部の先端部を連結することにより複数のクリップを直列に連結したクリップ帯体であって、
前記クリップの後部と他のクリップの脚部の先端部とを連結する連結部に、連結方向と直交する方向に切込みを形成し、
前記袋口部を結束するために前記２つの脚部を閉じて互いに重ねた際に、前記連結部の切り込みからクリップをクリップ帯体からちぎり取れるようにしたことを特徴とする。
【０００８】
請求項２の発明は、前記切込みを連結部の両側に形成したことを特徴とする。
【０００９】
請求項３の発明は、袋口部を挟み込む２つの脚部を有するシート状のクリップの後部の両端側に、２つの脚部を有するシート状の他のクリップのその２つの脚部の先端部を連結することにより複数のクリップを直列に連結したクリップ帯体であって、
前記クリップの後部と他のクリップの脚部の先端部とを連結する連結部にミシン目やノッチを施し、
前記袋口部を結束するために前記２つの脚部を閉じて互いに重ねた際に、前記連結部のミシン目やノッチからクリップをクリップ帯体からちぎり取れるようにしたことを特徴とする。
【００１０】
請求項４の発明は、袋口部を挟み込む２つの脚部を有するシート状のクリップの後部の両端側に、２つの脚部を有するシート状の他のクリップのその２つの脚部の先端部を連結することにより複数のクリップを直列に連結したクリップ帯体であって、
前記クリップの後部と他のクリップの脚部の先端部とを連結する連結部を薄くし、
前記袋口部を結束するために前記２つの脚部を閉じて互いに重ねた際に、前記連結部からクリップをクリップ帯体からちぎり取れるようにしたことを特徴とする。
【００１１】
【発明の実施の形態】
以下、この発明に係わるクリップ帯体の実施の形態を図面に基づいて説明する。
【００１２】
クリップ帯体１００は、図１に示すように、２つの脚部１０４，１０４を有するとともにシート状に形成された樹脂製のクリップ１０１を直列に連結したものであり、クリップ１０１とクリップ１０１とを連結した連結部１０２の両側には連結方向と直交する方向に楔状の切込み１０９が形成されている。連結部１０２の長さはほぼゼロに設定されている。１０４は脚部、１０５はピン孔、１０６は脚部１０４の先端部に設けたフック部、１０７はクリップ１０１の後部に設けた突出部、１０８は袋の口部を差し込む差込口である。
【００１３】
クリップ帯体１００の先頭のクリップ１０１Ａのピン孔１０５，１０５には、図２（Ａ）に示すように、結束機（図示せず）のアーム３２，３２の先端部に設けたピン３４，３４が挿入される。そして、アーム３２，３２が矢印方向に閉じていくと、クリップ１０１Ａの脚部１０４，１０４が矢印方向へ弾性変形されていく。アーム３２，３２の先端部が完全に閉じられると、図２（Ｂ）に示すように、壁２０ｆにより脚部１０４と脚部１０４が重なる状態となる。
【００１４】
脚部１０４と脚部１０４とが重なる状態まで弾性変形される際に、クリップ１０１Ａの連結部１０２がクリップ１０１Ｂから引き離される方向へ引っ張られていく。
【００１５】
このとき、図３に示すように、結束機に設けたホルダユニット５１が矢印方向から回動してきて、ホルダユニット５１に設けた押え突起５４がクリップ１０１Ｂを受部１８に押さえ付けている。このため、連結部１０２は切込み１０９から裂けていき、クリップ１０１Ａはクリップ１０１Ｂからすなわちクリップ帯体１００からちぎり取られていくことになる。
【００１６】
このように、クリップ１０１Ａの連結部１０２が引っ張られて、連結部１０２は切込み１０９から裂けていくのでバリが発生しない。たとえ、図４（Ａ）に示すように、クリップ１０１Ａの連結部１０２にバリＢが発生しても、このバリＢはクリップ１０１Ａを引っ張ることにより発生しているので、図４（Ｂ）に示すように、そのバリＢは薄く延びた状態となっている。このため、バリＢには鋭いエッジが発生せず、しかもバリＢは軟らかくなっている。
【００１７】
したがって、バリＢに指が引っかかったりすることがなく、しかも、バリＢが軟らかくなっていることによりバリＢが指などに当たっても不快感を与えてしまうこともない。
【００１８】
また、クリップ１０１Ａを引っ張って連結部１０２からちぎり取っているため、カッターで連結部を切断する必要がなく、このため、その連結部１０２の長さを短くすることができ、クリップ帯体１００の全体の長さを短くすることができる。この実施形態では、連結部１０２の長さがほぼゼロに設定されているので、クリップ帯体１００の全体の長さはかなり短いものとなっている。
【００１９】
また、連結部１０２に切込み１０９が入っているので、この切込み１０９からクリップ１０１を折り曲げ易いものとなり、クリップ帯体１００をロール状に巻く場合に、径を小さくして巻いていくことができる。この結果、ロール状に巻いたクリップ帯体１００の径を小さくすることができる。
【００２０】
図５は第２実施形態を示したものであり、この第２実施形態のクリップ帯体１００は、連結部１０２にミシン目１０３を設けたものである。このミシン目１０３により、クリップ１０１のちぎり取りが簡単に行われるとともに、クリップ１０１もそのミシン目１０３から折り曲げ易いものとなる。
【００２１】
図６は第２実施形態の他の例を示したものであり、図６（Ａ）に示すクリップ帯体１２０は、連結部１０２にミシン目１０３の代わりにノッチ１２１を設けて、クリップ１０１をクリップ帯体１２０からちぎり取れるようにしたものである。このノッチ１２１により、クリップ１０１を折り曲げ易いものとなるので、上記と同様な効果を得ることができる。
【００２２】
図６（Ｂ）に示すクリップ帯体１３０は、短い連結部１３１によってクリップ１０１を連結し、この連結部１３１の厚さを薄くして、クリップ１０１をクリップ帯体１３０からちぎり取れるようにしたものである。連結部１３１の厚さが薄くなっているので、クリップ１０１を連結部１３１から折り曲げやすいものとなり、上記と同様な効果を得ることができる。
【００２３】
【発明の効果】
以上説明したように、請求項１の発明によれば、袋口部を挟み込む２つの脚部を有するシート状のクリップを直列に連結して形成されたクリップ帯体であって、前記クリップとクリップとを連結する連結部に、連結方向と直交する方向に切込みを形成し、クリップをクリップ帯体からちぎり取れるようにしたものであるから、クリップを引っ張ると連結部は切込みから裂けていき、このため、バリが発生せずにクリップをクリップ帯体からちぎり取ることができる。また、クリップを引っ張って連結部からちぎり取るため、カッターで連結部を切断する必要がなく、このため、その連結部の長さを短くすることができ、クリップ帯体の全体の長さを短くすることができる。さらに、連結部に切込みが入っているので、この切込みからクリップを折り曲げ易いものとなり、クリップ帯体をロール状に巻く場合に、径を小さくして巻いていくことができる。このため、ロール状に巻いたクリップ帯体の径を小さくすることができる。
【００２４】
請求項２の発明によれば、切込みを連結部の両側に形成したものであるから、クリップを連結部からちぎり取ることが容易なものとなる。
【００２５】
請求項３の発明によれば、袋口部を挟み込む２つの脚部を有するシート状のクリップを直列に連結して形成されたクリップ帯体であって、前記クリップとクリップとを連結する連結部を薄くしてクリップをクリップ帯体からちぎり取れるようにしたものであるから、クリップ帯体からちぎり取られたクリップにバリが発生するが、このバリはクリップをちぎり取っているので、薄く延びた状態となっている。このため、バリには鋭いエッジが発生せず、しかもバリは軟らかくなっている。したがって、バリに指が引っかかったりすることがなく、しかも、バリが軟らかくなっていることによりバリが指などに当たっても不快感を与えてしまうこともない。また、クリップを引っ張って連結部からちぎり取るため、カッターで連結部を切断する必要がなく、このため、その連結部の長さを短くすることができ、クリップ帯体の全体の長さを短くすることができる。また、連結部にミシン目やノッチが入っているので、このミシン目やノッチからクリップを折り曲げ易いものとなり、クリップ帯体をロール状に巻く場合に、径を小さくして巻いていくことができる。このため、ロール状に巻いたクリップ帯体の径を小さくすることができる。
【００２６】
請求項４の発明によれば、袋口部を挟み込む２つの脚部を有するシート状のクリップを直列に連結して形成されたクリップ帯体であって、前記クリップとクリップとを連結する連結部を薄くしてクリップをクリップ帯体からちぎり取れるようにしたものであるから、クリップ帯体からちぎり取られたクリップの連結部にバリが発生するが、このバリはクリップをちぎり取っているので、薄く延びた状態となっている。このため、バリには鋭いエッジが発生せず、しかもバリは軟らかくなっている。したがって、バリに指が引っかかったりすることがなく、しかも、バリが軟らかくなっていることによりバリが指などに当たっても不快感を与えてしまうこともない。また、クリップを引っ張って連結部からちぎり取るため、カッターで連結部を切断する必要がなく、このため、その連結部の長さを短くすることができ、クリップ帯体の全体の長さを短くすることができる。さらに、連結部は薄くなっているので、この連結部からクリップを折り曲げ易いものとなり、クリップ帯体をロール状に巻く場合に、径を小さくして巻いていくことができる。このため、ロール状に巻いたクリップ帯体の径を小さくすることができる。
【図面の簡単な説明】
【図１】この発明に係わるクリップ帯体を示した平面図である。
【図２】（Ａ）クリップの脚部が重ねられる前の状態を示した説明図である。
（Ｂ）クリップの脚部が重ねられた状態を示した説明図である。
【図３】クリップが押え突起によって押さえつけられた状態を示した説明図である。
【図４】（Ａ）ちぎり取られたクリップを示した斜視図である。
（Ｂ）バリを示した説明図である。
【図５】第２実施形態のクリップ帯体を示した説明図である。
【図６】（Ａ）第２実施形態の他の例のクリップ帯体を示した説明図である。
（Ｂ）第２実施形態の別な他の例のクリップ帯体を示した説明図である。
【図７】従来のクリップ帯体を示した平面図である。
【図８】クリップで袋の口部を結束した状態を示した説明図である。
【図９】クリップに発生するバリの説明図である。
【符号の説明】
１００                クリップ帯体
１０１                クリップ
１０２                連結部
１０４              脚部
１０９                切込み
【図１】
0003589055.tif 000002
【図２】
0003589055.tif 000003
【図３】
0003589055.tif 000004
【図４】
0003589055.tif 000005
【図５】
0003589055.tif 000006
【図６】
0003589055.tif 000007
【図７】
0003589055.tif 000008
【図８】
0003589055.tif 000009
【図９】
0003589055.tif 000010